(57)【要約】【課題】バスダクトとプラグイン器具との接続部やプラグイン器具内の分岐接続部などの接続状態を容易に点検できるバスダクト及びプラグイン器具を提供する。【解決手段】バスダクト１は、複数の板状の導体１０をハウジング１１内に収納保持するバスダクト１であって、ハウジング１１にプラグイン器具２を取り付けるプラグインホール部３と、プラグインホール部３と対向する位置に設けた点検窓４とを有する。プラグイン器具２は、複数の板状の導体１０をハウジング１１内に収納保持するバスダクト１に取り付けられて分岐をとるプラグイン器具２であって、器具２内の電気的接続部が見えるところに点検窓５、６を有する。【選択図】          図１
2004229358.tif 000002
【特許請求の範囲】
【請求項１】
複数の板状の導体をハウジング内に収納保持するバスダクトであって、
前記ハウジングにプラグイン器具を取り付けるプラグインホール部と、
前記プラグインホール部と対向する位置に設けた点検窓とを有することを特徴とするバスダクト。
【請求項２】
複数の板状の導体をハウジング内に収納保持するバスダクトに取り付けられて分岐をとるプラグイン器具であって、
器具内の電気的接続部が見えるところに点検窓を有することを特徴とするプラグイン器具。
【発明の詳細な説明】
【０００１】
【発明の属する技術分野】
本発明は、バスダクト内に収納保持される導体とバスダクトの分岐装置であるプラグイン器具との接続部や、プラグイン器具内の分岐接続部の点検が容易に行うことが可能なバスダクト及びプラグイン器具に関する。
【０００２】
【従来の技術】
バスダクトとして一般に、複数の板状の裸導体を並列させ、各導体間を絶縁材で離間してハウジング内に収納保持する裸導体バスダクトと、絶縁被覆された板状の電気導体を複数並列させてハウジング内に収納保持する絶縁バスダクトとが知られている。これらバスダクトのハウジングの一面には、プラグインホールが設けられ、このプラグインホールには、バスダクトから分岐をとるプラグイン器具が取り付けられる（例えば、特許文献１参照）。プラグイン器具は、プラグインスイッチボックスなどが知られている。プラグイン器具の内部には、バスダクトの導体と電気的に接続される連結部や、この連結部と電気的に接続されると共に、分岐のための別のケーブルが接続される接続端子などを具える。また、連結部と接続端子との間にプラグインブレーカを具えるものもある。
【０００３】
【特許文献１】
実開平４−３９００３号公報
【０００４】
【発明が解決しようとする課題】
バスダクトのハウジングやプラグイン器具のボックスケースは、一般に鋼板やアルミニウム合金板から形成されている。そのため、従来、バスダクトとプラグイン器具との接続部の接続状態を点検するには、まず、通電を停止し、ハウジングの一面を取り外し、ハウジング内を目視できる状態にしてから行われる。また、プラグイン器具内の電気的接続部、具体的には、バスダクトの導体とプラグイン器具内に具える連結部との接続部や分岐接続部（プラグイン器具内に具える接続端子と別のケーブルとの接続部）の接続状態を点検する場合も、同様にプラグイン器具の一面を取り外し、器具内を目視できる状態にしてから行われる。
【０００５】
しかし、従来のバスダクトやプラグイン器具では、点検毎に通電を停止させたり、ハウジングやプラグイン器具を分解開放させたりするため、点検の作業性が極めて悪く、容易に点検できないという問題がある。また、施工時の接続不良などによって接続部付近に異常過熱などが発生した場合、ハウジングの外からその異常を目視によってほとんど確認できないため、異常を早期に発見することが非常に困難である。従って、従来のバスダクトやプラグイン器具は、使用限界程度まで接続部が焼け付いてから発見される恐れがある。更に、接続部が複数存在する場合、ハウジングの外から異常が目視確認しにくいことから、異常箇所の特定が困難であり、異常が生じていない箇所を分解開放する恐れもあり、ますます異常箇所の発見が遅れる恐れがある。
【０００６】
そこで、本発明は、バスダクトとプラグイン器具との接続部やプラグイン器具内の分岐接続部などの接続状態を容易に点検できるバスダクト及びプラグイン器具を提供することを目的とする。
【０００７】
【課題を解決するための手段】
本発明バスダクトは、複数の板状の導体をハウジング内に収納保持するバスダクトであって、前記ハウジングにプラグイン器具を取り付けるプラグインホール部と、前記プラグインホール部と対向する位置に設けた点検窓とを有することを特徴とする。また、本発明プラグイン器具は、複数の板状の導体をハウジング内に収納保持するバスダクトに取り付けられて分岐をとるプラグイン器具であって、器具内の電気的接続部が見えるところに点検窓を有することを特徴とする。
【０００８】
本発明は、バスダクトのハウジングやプラグイン器具のボックスケースに点検窓を設けることで、バスダクトとプラグイン器具との接続部やプラグイン器具内の分岐接続部などの接続状態を容易に点検することができる。なお、本発明においてプラグイン器具内の電気的接続部とは、器具内に具える連結部とハウジング内の導体との接続部や、この連結部と電気的に接続される接続端子と分岐用の別のケーブルとの分岐接続部が挙げられる。
【０００９】
バスダクトのハウジング内やプラグイン器具のボックスケース内は、湿気や雨などの水や塵埃などが侵入すると、塵埃によって内部の温度が上昇したり、水によって絶縁性能が低下したりするなどの問題がある。また、絶縁性能が低下することで、ハウジング内の導体間で短絡電流が発生し易くなる恐れもある。そのため、バスダクトのハウジング内やプラグイン器具のボックスケース内は、密閉状態に保持する必要がある。そこで、本発明において点検窓は、ハウジングやボックスケースに点検穴を設け、この点検穴に、接続状態が確認できる程度に透明であり、かつ一定の強度を有する窓部材を装着させることが好ましい。窓部材は、例えば、透明のアクリル板などが適する。
【００１０】
本発明バスダクトにおいて点検窓は、導体とプラグイン器具との接続状態が容易に確認できるように、プラグインホール部と対向する位置に設ける。点検窓は、プラグイン器具が取り付けられるプラグインホール部に対してのみ設けてもよいが、バスダクトに設けた全てのプラグインホール部に対して、それぞれ点検窓を設けることが好ましい。
【００１１】
本発明プラグイン器具において点検窓は、例えば、その内部に具える連結部とハウジング内の導体との接続状態を確認できるところに設ける。具体的には、ボックスケースにおいて連結部が配置された箇所に最も近い面、又はこの面と対向する面に設けることが好ましい。また、本発明プラグイン器具において点検窓は、上記と同様に、ボックスケースにおいて接続端子が配置された箇所に最も近い面、又はこの面と対向する面に設けてもよい。このような本発明プラグイン器具に設ける上記二つの点検窓は、いずれか一方のみでもよいが、双方共に具えることがより好ましい。
【００１２】
なお、本発明においてバスダクトとは、裸導体バスダクト及び絶縁バスダクトの双方を含むものとする。また、本発明においてプラグイン器具とは、プラグインスイッチボックスなどのバスダクトに取り付けて分岐をとるための装置とする。プラグイン器具は、裸導体バスダクト、絶縁バスダクトのそれぞれに適合した公知のものを用いるとよい。
【００１３】
【発明の実施の形態】
以下、本発明の実施の形態を説明する。
（バスダクト）
図１（Ａ）は、本発明バスダクトに本発明プラグイン器具を取り付けた状態を表す平面、同（Ｂ）は、その正面図である。本発明バスダクト１は、複数の板状の導体１０をハウジング１１内に収納保持する。このハウジング１１の一面には、プラグイン器具２を取り付けるプラグインホール部３と、プラグインホール部３と対向する位置に設けた点検窓４とを有する。
【００１４】
本例では、全てのプラグインホール部３に対して、対向する位置に点検窓４を設けた。点検窓４は、ハウジング１１に点検穴を設け、この点検穴を覆うように窓部材を装着させている。窓部材は、透明なアクリル板を用いた。
【００１５】
本発明バスダクト１は、プラグインホール部３にプラグイン器具２が取り付けられても、バスダクト１を分解開放することなく、ハウジング１１内の導体１０とプラグイン器具２との接続状態が点検窓４から確認することができる。
【００１６】
本例においてバスダクト１は、ハウジング１１に点検窓４を有する以外は、従来のバスダクトと同様の構成である。具体的には、バスダクト１は、複数の板状の裸導体１０を並列させ、各導体間を絶縁材（図示せず）で離間してハウジング１１内に収納保持する裸導体バスダクトである。ハウジング１１には、複数のプラグインホール部３が設けられており、プラグイン器具２が取り付けられている。使用していないプラグインホール部３は、通常、カバー（図示せず）を取り付けており、ハウジング１１内を密閉状態に保持している。また、ハウジング１１には、バスダクト１とプラグイン器具２間とをアースするアース端子１２を取り付けている。本例に示すバスダクト１は、図１（Ｂ）において下方に支持架台（図示せず）などが配置され、この支持架台により支持されるものである。
【００１７】
（プラグイン器具）
図２（Ａ）は、本発明プラグイン器具２の平面図、同（Ｂ）は、その正面図である。本発明プラグイン器具２は、複数の板状の導体１０（図１参照）をハウジング１１（同）内に収納保持するバスダクト１（同）に取り付けられて分岐をとる器具である。プラグイン器具２のボックスケース２０の一面には、器具２内の電気的接続部が見えるところに点検窓５、６を有する。
【００１８】
本例において点検窓５は、連結部２１が配置された箇所に最も近い面（図２（Ｂ）において下面）に対向する面（同上面）で、プラグイン器具２の内部に具える連結部２１とハウジング１１内の導体１０との接続状態を確認できるところに設けた。また、点検窓６は、接続端子２２が配置された箇所に最も近い面（図２（Ｂ）において上面）で、プラグイン器具２の内部に具える接続端子２２と分岐用の別のケーブルとの接続状態を確認できるところに設けた。本例では、点検窓５、６は、同一面（図２（Ｂ）において上面）に設けた。点検窓５、６は、点検窓４（図１参照）と同様にボックスケース２０に点検穴を設け、この点検穴を覆うように窓部材を装着させている。窓部材は、透明なアクリル板を用いた。
【００１９】
本発明プラグイン器具２は、バスダクト１のプラグインホール部３（図１参照）に取り付けられた際、プラグイン器具２を分解開放することなく、ハウジング１１内の導体１０との接続状態が点検窓５から確認することができる。また、同様に、分岐用の別のケーブルとの接続状態が点検窓６から確認することができる。
【００２０】
本例においてプラグイン器具２は、ボックスケース２０に点検窓５、６を有する以外は、従来のプラグイン器具と同様の構成である。具体的には、バスダクト１の導体１０と接続される連結部２１と、この連結部２１と電気的に接続されると共に、分岐用の別のケーブル（図示せず）が接続される接続端子２２とを具える。連結部２１は、一端にバスダクト１の導体１０を挟持する挟持部２３を具える。挟持部２３は、ボックスケース２０の外部に設けられており、ボックス２０の内部には、挟持部２３に挟まれた各導体１０に電気的に接続される導電部２４が収納されている。挟持部２３は、導体１０を挟持できる程度の幅を有している（図１（Ａ）参照）。各導電部２４は、絶縁コンタクト３１により絶縁距離を保持されている。導電部２４と接続端子２２とは、ブレーカ部２５を介して接続される。ブレーカ部２５には、スイッチ２６が設けられており、分岐側に通電する際は、このスイッチ２６をＯＮにし、異常の発生や分岐をとる場合などで通電を停止する際は、このスイッチ２６をＯＦＦにする。このようなプラグイン器具２のバスダクト１への取り付けは、連結部２１の近傍に設けられた一対の装着部２７でハウジング１１を挟み、装着部２７に嵌合するネジ２８をバスダクト１のハウジング１１にねじ込むことで行われる。図１（Ａ）では、装着部２７を省略している。プラグイン器具２のボックスケース２０は、上面が蝶着されて開閉可能な構成であり、通常は閉じられて器具２内を密閉状態に保持している。本例では、ボックスケース２０の外部にバスダクト１１を支持する支持架台（図示せず）に固定するための固定板２９を設けたものを示している。また、本例では、プラグイン器具２内に別のケーブルを挿入し易いように、別のケーブルが挿入される面に一対のゴム板３０を配置し、ゴム板３０間でケーブルを挟む構成のものを示している。
【００２１】
【発明の効果】
以上、説明したように本発明バスダクトによれば、バスダクトの導体とプラグイン器具の連結部との接続状態の点検が、バスダクトを分解開放することなく容易に点検できるという優れた効果を奏し得る。また、点検が容易であるため、点検回数を増加させて事故を未然に防ぐことも可能である。更に、異常が生じた場合、異常箇所の特定が早期にできるため、事故を最小限にすることができる。
【００２２】
一方、本発明プラグイン器具は、器具内の連結部とハウジング内の導体との接続状態や、器具内の接続端子と分岐用の別のケーブルとの接続状態を容易に点検できる。そのため、上記本発明バスダクトと同様に事故を未然に防止し、事故が生じた場合でも最小限にとどめることができる。
【図面の簡単な説明】
【図１】（Ａ）は、本発明バスダクトに本発明プラグイン器具を取り付けた状態を示す平面図、同（Ｂ）は、その正面図である。
【図２】（Ａ）は、本発明プラグイン器具の正面図、同（Ｂ）は、その側面図である。
【符号の説明】
１  バスダクト  ２  プラグイン器具  ３  プラグインホール部
４、５、６  点検窓
１０  導体  １１  ハウジング  １２  アース端子
２０  ボックスケース  ２１  連結部  ２２  接続端子  ２３  挟持部  ２４  導電部
２５  ブレーカ部  ２６  スイッチ  ２７  装着部  ２８  ネジ  ２９  固定板
３０  ゴム板  ３１  絶縁コンタクト
【図１】
2004229358.tif 000003
【図２】
2004229358.tif 000004